【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
撮影画像のホワイトバランスを調整するホワイトバランス調整装置において、
ストロボ発光を伴わない非ストロボ撮像により得られた撮像画像から第１の被写体輝度を取得する第１の輝度取得手段と、
撮影操作に応じたストロボ発光を伴うストロボ撮像により得られた撮影画像から第２の被写体輝度を取得する第２の輝度取得手段と、
前記第１の輝度取得手段により取得された第１の被写体輝度及び／又は前記第２の輝度取得手段により取得された第２の被写体輝度を、前記ストロボ発光を伴わない非ストロボ撮像に際して設定されていた撮影条件と、前記撮影操作に応じたストロボ発光を伴うストロボ撮像に際して設定されていた撮影条件との違いに応じて補正する輝度補正手段と、
この輝度補正手段により補正された後の第１の被写体輝度及び／又は第２の被写体輝度に基づき、前記第１の被写体輝度に対する前記第２の被写体輝度の変化度合を取得する変化度合取得手段と、
この変化度合取得手段により取得された変化度合に基づき、前記撮影画像のホワイトバランスを調整するホワイトバランス調整手段と
を備えたことを特徴とするホワイトバランス調整装置。
【請求項２】
前記ホワイトバランス調整手段は、前記変化度合取得手段により取得された変化度合と、前記ストロボ撮像時におけるストロボ発光量とに基づき、前記撮影画像のホワイトバランスを調整することを特徴とする請求項１記載のホワイトバランス調整装置。
【請求項３】
前記ストロボ撮像直前の被写体の明るさを取得する明るさ取得手段と、
この明るさ取得手段により取得された被写体の明るさに対応する、撮影操作に応じたストロボ発光を伴うストロボ撮像時用のホワイトバランス調整値を取得する調整値取得手段とを備え、
前記ホワイトバランス調整手段は、前記変化度合取得手段により取得された変化度合と、ストロボ発光を伴わない非ストロボ撮像時用のホワイトバランス調整値と、前記調整値取得手段により取得されたストロボ撮像時用のホワイトバランス調整値とに基づき、前記撮影画像のホワイトバランスを調整することを特徴とする請求項１又は２記載のホワイトバランス調整装置。
【請求項４】
撮影画像のホワイトバランスを調整するホワイトバランス調整装置において、
ストロボ発光を伴わない非ストロボ撮像により得られた撮像画像から第１の被写体輝度を取得する第１の輝度取得手段と、
撮影操作に応じたストロボ発光を伴うストロボ撮像により得られた撮影画像から第２の被写体輝度を取得する第２の輝度取得手段と、
前記第１の輝度取得手段により取得された第１の被写体輝度に対する前記第２の輝度取得手段により取得された第２の被写体輝度の変化度合を取得する変化度合取得手段と、
この変化度合取得手段により取得された変化度合に基づく重み付けにより、非ストロボ撮像時用の第１の調整値とストロボ撮像時用の第２の調整値との間においてホワイトバランス調整値を設定し、この設定したホワイトバランス調整値に応じて前記撮影画像のホワイトバランスを調整するホワイトバランス調整手段とを備え、
前記ホワイトバランス調整手段は、前記設定されるホワイトバランス調整値における前記第１の調整値の側への調整限界を制限する制限手段を含む
ことを特徴とするホワイトバランス調整装置。
【請求項５】
前記非ストロボ撮像により得られた撮像画像に基づき、前記非ストロボ撮像時の光源種別を判定する光源判定手段を備え、
前記ホワイトバランス調整手段による撮影画像に対するホワイトバランスの調整には、前記変化度合に応じて変化する重み付けの変化率を、前記光源判定手段により判別された光源種別に応じて設定する処理が含まれることを特徴とする請求項４記載のホワイトバランス調整装置。
【請求項６】
前記非ストロボ撮像により得られた撮像画像に基づき、前記非ストロボ撮像時の光源種別を判定する光源判定手段を備え、
前記制限手段は、前記設定されるホワイトバランス調整値における前記第１の調整値の側への調整限界を、前記光源判定手段により判別された光源種別又はストロボ発光量に応じて制限することを特徴とする請求項４記載のホワイトバランス調整装置。
【請求項７】
撮像素子により撮像された画像のホワイトバランスを調整するホワイトバランス調整装置におけるホワイトバランス調整方法において、
ストロボ発光を伴わない非ストロボ撮像により得られた撮像画像から第１の被写体輝度を取得する工程と、
撮影操作に応じたストロボ発光を伴うストロボ撮像により得られた撮影画像から第２の被写体輝度を取得する工程と、
前記取得された第１の被写体輝度及び／又は前記第２の被写体輝度を、前記ストロボ発光を伴わない非ストロボ撮像に際して設定されていた撮影条件と、前記撮影操作に応じたストロボ発光を伴うストロボ撮像に際して設定されていた撮影条件との違いに応じて補正する工程と、
前記補正された後の第１の被写体輝度及び／又は第２の被写体輝度に基づき、前記第１の被写体輝度に対する前記第２の被写体輝度の変化度合を取得する工程と、
前記取得された変化度合に基づき、前記撮影画像のホワイトバランスを調整する工程と
を含むことを特徴とするホワイトバランス調整方法。
【請求項８】
撮像素子により撮像された画像のホワイトバランスを調整するホワイトバランス調整装置におけるホワイトバランス調整方法において、
ストロボ発光を伴わない非ストロボ撮像により得られた撮像画像から第１の被写体輝度を取得する工程と、
撮影操作に応じたストロボ発光を伴うストロボ撮像により得られた撮影画像から第２の被写体輝度を取得する工程と、
前記取得された第１の被写体輝度に対する第２の被写体輝度の変化度合を取得する工程と、
前記取得された変化度合に基づく重み付けにより、非ストロボ撮像時用の第１の調整値とストロボ撮像時用の第２の調整値との間においてホワイトバランス調整値を設定し、この設定したホワイトバランス調整値に応じて前記撮影画像のホワイトバランスを調整する工程と、
前記設定されるホワイトバランス調整値における前記第１の調整値の側への調整限界を制限する工程と
を含むことを特徴とするホワイトバランス調整方法。
【請求項９】
撮像素子により撮像された画像のホワイトバランスを調整するホワイトバランス調整装置が有するコンピュータに、
ストロボ発光を伴わない非ストロボ撮像により得られた撮像画像から第１の被写体輝度を取得する処理と、
撮影操作に応じたストロボ発光を伴うストロボ撮像により得られた撮影画像から第２の被写体輝度を取得する処理と、
前記取得された第１の被写体輝度及び／又は前記第２の被写体輝度を、前記ストロボ発光を伴わない非ストロボ撮像に際して設定されていた撮影条件と、前記撮影操作に応じたストロボ発光を伴うストロボ撮像に際して設定されていた撮影条件との違いに応じて補正する処理と、
前記補正された後の第１の被写体輝度及び／又は第２の被写体輝度に基づき、前記第１の被写体輝度に対する前記第２の被写体輝度の変化度合を取得する処理と、
前記取得された変化度合に基づき、前記撮影画像のホワイトバランスを調整する処理と
を実行させるためのプログラム。
【請求項１０】
撮像素子により撮像された画像のホワイトバランスを調整するホワイトバランス調整装置が有するコンピュータに、
ストロボ発光を伴わない非ストロボ撮像により得られた撮像画像から第１の被写体輝度を取得する処理と、
撮影操作に応じたストロボ発光を伴うストロボ撮像により得られた撮影画像から第２の被写体輝度を取得する処理と、
前記取得された第１の被写体輝度に対する第２の被写体輝度の変化度合を取得する処理と、
前記取得された変化度合に基づく重み付けにより、非ストロボ撮像時用の第１の調整値とストロボ撮像時用の第２の調整値との間においてホワイトバランス調整値を設定し、この設定したホワイトバランス調整値に応じて前記撮影画像のホワイトバランスを調整する処理と、
前記設定されるホワイトバランス調整値における前記第１の調整値の側への調整限界を制限する処理と
を実行させるためのプログラム。
【手続補正２】
【補正対象書類名】明細書
【補正対象項目名】０００６
【補正方法】変更
【補正の内容】
【０００６】
前記課題を解決するため請求項１の発明にあっては、撮影画像のホワイトバランスを調整するホワイトバランス調整装置において、ストロボ発光を伴わない非ストロボ撮像により得られた撮像画像から第１の被写体輝度を取得する第１の輝度取得手段と、撮影操作に応じたストロボ発光を伴うストロボ撮像により得られた撮影画像から第２の被写体輝度を取得する第２の輝度取得手段と、前記第１の輝度取得手段により取得された第１の被写体輝度及び／又は前記第２の輝度取得手段により取得された第２の被写体輝度を、前記ストロボ発光を伴わない非ストロボ撮像に際して設定されていた撮影条件と、前記撮影操作に応じたストロボ発光を伴うストロボ撮像に際して設定されていた撮影条件との違いに応じて補正する輝度補正手段と、この輝度補正手段により補正された後の第１の被写体輝度及び／又は第２の被写体輝度に基づき、前記第１の被写体輝度に対する前記第２の被写体輝度の変化度合を取得する変化度合取得手段と、この変化度合取得手段により取得された変化度合に基づき、前記撮影画像のホワイトバランスを調整するホワイトバランス調整手段とを備えたものとした。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
さらにこの構成においては、非ストロボ撮像時とストロボ撮像時との撮影条件が異なる場合であっても、双方の撮影条件の違いが反映された正確なストロボ光の影響度合に基づいたホワイトバランス調整を行うことができる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、請求項２の発明にあっては、前記ホワイトバランス調整手段は、前記変化度合取得手段により取得された変化度合と、前記ストロボ撮像時におけるストロボ発光量とに基づき、前記撮影画像のホワイトバランスを調整するものとした。
【手続補正８】
【補正対象書類名】明細書
【補正対象項目名】００１４
【補正方法】変更
【補正の内容】
【００１４】
また、請求項３の発明にあっては、前記ストロボ撮像直前の被写体の明るさを取得する明るさ取得手段と、この明るさ取得手段により取得された被写体の明るさに対応する、撮影操作に応じたストロボ発光を伴うストロボ撮像時用のホワイトバランス調整値を取得する調整値取得手段とを備え、前記ホワイトバランス調整手段は、前記変化度合取得手段により取得された変化度合と、ストロボ発光を伴わない非ストロボ撮像時用のホワイトバランス調整値と、前記調整値取得手段により取得されたストロボ撮像時用のホワイトバランス調整値とに基づき、前記撮影画像のホワイトバランスを調整するものとした。
【手続補正９】
【補正対象書類名】明細書
【補正対象項目名】００１６
【補正方法】変更
【補正の内容】
【００１６】
また、請求項４の発明にあっては、撮影画像のホワイトバランスを調整するホワイトバランス調整装置において、ストロボ発光を伴わない非ストロボ撮像により得られた撮像画像から第１の被写体輝度を取得する第１の輝度取得手段と、撮影操作に応じたストロボ発光を伴うストロボ撮像により得られた撮影画像から第２の被写体輝度を取得する第２の輝度取得手段と、前記第１の輝度取得手段により取得された第１の被写体輝度に対する前記第２の輝度取得手段により取得された第２の被写体輝度の変化度合を取得する変化度合取得手段と、この変化度合取得手段により取得された変化度合に基づく重み付けにより、非ストロボ撮像時用の第１の調整値とストロボ撮像時用の第２の調整値との間においてホワイトバランス調整値を設定し、この設定したホワイトバランス調整値に応じて前記撮影画像のホワイトバランスを調整するホワイトバランス調整手段とを備え、前記ホワイトバランス調整手段は、前記設定されるホワイトバランス調整値における前記第１の調整値の側への調整限界を制限する制限手段を含むものとした。
【手続補正１０】
【補正対象書類名】明細書
【補正対象項目名】００１７
【補正方法】変更
【補正の内容】
【００１７】
かかる構成においては、ホワイトバランスの調整値を、非ストロボ撮像時用の第１の調整値とストロボ撮像時用の第２の調整値との間において被写体に対するストロボ光の影響度合に応じて変化させることにより、精度の高いホワイトバランス調整が行われる。
さらにこの構成においては、撮影画像におけるストロボ光の影響度合が僅かであっても色の変化が大きい撮影環境下で、ストロボ光の影響度合が僅かであった場合についても正確なホワイトバランス調整を行うことができる。
【手続補正１１】
【補正対象書類名】明細書
【補正対象項目名】００１８
【補正方法】変更
【補正の内容】
【００１８】
また、請求項５の発明にあっては、前記非ストロボ撮像により得られた撮像画像に基づき、前記非ストロボ撮像時の光源種別を判定する光源判定手段を備え、前記ホワイトバランス調整手段による撮影画像に対するホワイトバランスの調整には、前記変化度合に応じて変化する重み付けの変化率を、前記光源判定手段により判別された光源種別に応じて設定する処理が含まれるものとした。
【手続補正１２】
【補正対象書類名】明細書
【補正対象項目名】００１９
【補正方法】変更
【補正の内容】
【００１９】
かかる構成においては、撮影環境下の光源の特性の違いに応じたホワイトバランス調整を行うことができる。
さらにこの構成においては、ホワイトバランス調整値として、撮影環境下の光源によって異なるストロボ光との色温度の差や光の回り込み等の特性に対応した値を得ることができる。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
また、請求項６の発明にあっては、前記非ストロボ撮像により得られた撮像画像に基づき、前記非ストロボ撮像時の光源種別を判定する光源判定手段を備え、前記制限手段は、前記設定されるホワイトバランス調整値における前記第１の調整値の側への調整限界を、前記光源判定手段により判別された光源種別又はストロボ発光量に応じて制限するものとした。
【手続補正１９】
【補正対象書類名】明細書
【補正対象項目名】００２７
【補正方法】変更
【補正の内容】
【００２７】
また、請求項７の発明にあっては、撮像素子により撮像された画像のホワイトバランスを調整するホワイトバランス調整装置におけるホワイトバランス調整方法において、ストロボ発光を伴わない非ストロボ撮像により得られた撮像画像から第１の被写体輝度を取得する工程と、撮影操作に応じたストロボ発光を伴うストロボ撮像により得られた撮影画像から第２の被写体輝度を取得する工程と、前記取得された第１の被写体輝度及び／又は前記第２の被写体輝度を、前記ストロボ発光を伴わない非ストロボ撮像に際して設定されていた撮影条件と、前記撮影操作に応じたストロボ発光を伴うストロボ撮像に際して設定されていた撮影条件との違いに応じて補正する工程と、前記補正された後の第１の被写体輝度及び／又は第２の被写体輝度に基づき、前記第１の被写体輝度に対する前記第２の被写体輝度の変化度合を取得する工程と、前記取得された変化度合に基づき、前記撮影画像のホワイトバランスを調整する工程とを含む方法とした。
【手続補正２０】
【補正対象書類名】明細書
【補正対象項目名】００２８
【補正方法】変更
【補正の内容】
【００２８】
また、請求項９の発明にあっては、撮像素子により撮像された画像のホワイトバランスを調整するホワイトバランス調整装置が有するコンピュータに、ストロボ発光を伴わない非ストロボ撮像により得られた撮像画像から第１の被写体輝度を取得する処理と、撮影操作に応じたストロボ発光を伴うストロボ撮像により得られた撮影画像から第２の被写体輝度を取得する処理と、前記取得された第１の被写体輝度及び／又は前記第２の被写体輝度を、前記ストロボ発光を伴わない非ストロボ撮像に際して設定されていた撮影条件と、前記撮影操作に応じたストロボ発光を伴うストロボ撮像に際して設定されていた撮影条件との違いに応じて補正する処理と、前記補正された後の第１の被写体輝度及び／又は第２の被写体輝度に基づき、前記第１の被写体輝度に対する前記第２の被写体輝度の変化度合を取得する処理と、前記取得された変化度合に基づき、前記撮影画像のホワイトバランスを調整する処理とを実行させるためのプログラムとした。
【手続補正２１】
【補正対象書類名】明細書
【補正対象項目名】００２９
【補正方法】変更
【補正の内容】
【００２９】
かかる方法及びプログラムによれば、請求項１の発明と同じく、撮影画像におけるホワイトバランスをストロボ光の影響度合に応じて調整することにより精度の高いホワイトバランス調整を行うことができ、さらに非ストロボ撮像時とストロボ撮像時との撮影条件が異なる場合であっても、双方の撮影条件の違いが反映された正確なストロボ光の影響度合に基づいたホワイトバランス調整を行うことができる。
【手続補正２２】
【補正対象書類名】明細書
【補正対象項目名】００３０
【補正方法】変更
【補正の内容】
【００３０】
また、請求項８の発明にあっては、撮像素子により撮像された画像のホワイトバランスを調整するホワイトバランス調整装置におけるホワイトバランス調整方法において、ストロボ発光を伴わない非ストロボ撮像により得られた撮像画像から第１の被写体輝度を取得する工程と、撮影操作に応じたストロボ発光を伴うストロボ撮像により得られた撮影画像から第２の被写体輝度を取得する工程と、前記取得された第１の被写体輝度に対する第２の被写体輝度の変化度合を取得する工程と、前記取得された変化度合に基づく重み付けにより、非ストロボ撮像時用の第１の調整値とストロボ撮像時用の第２の調整値との間においてホワイトバランス調整値を設定し、この設定したホワイトバランス調整値に応じて前記撮影画像のホワイトバランスを調整する工程と、前記設定されるホワイトバランス調整値における前記第１の調整値の側への調整限界を制限する工程とを含む方法とした。
【手続補正２３】
【補正対象書類名】明細書
【補正対象項目名】００３１
【補正方法】変更
【補正の内容】
【００３１】
また、請求項１０の発明にあっては、撮像素子により撮像された画像のホワイトバランスを調整するホワイトバランス調整装置が有するコンピュータに、ストロボ発光を伴わない非ストロボ撮像により得られた撮像画像から第１の被写体輝度を取得する処理と、撮影操作に応じたストロボ発光を伴うストロボ撮像により得られた撮影画像から第２の被写体輝度を取得する処理と、前記取得された第１の被写体輝度に対する第２の被写体輝度の変化度合を取得する処理と、前記取得された変化度合に基づく重み付けにより、非ストロボ撮像時用の第１の調整値とストロボ撮像時用の第２の調整値との間においてホワイトバランス調整値を設定し、この設定したホワイトバランス調整値に応じて前記撮影画像のホワイトバランスを調整する処理と、前記設定されるホワイトバランス調整値における前記第１の調整値の側への調整限界を制限する処理とを実行させるためのプログラムとした。
【手続補正２４】
【補正対象書類名】明細書
【補正対象項目名】００３２
【補正方法】変更
【補正の内容】
【００３２】
かかる方法及びプログラムによれば、請求項４の発明と同じく、ホワイトバランスの調整値を、非ストロボ撮像時用の第１の調整値とストロボ撮像時用の第２の調整値との間において被写体に対するストロボ光の影響度合に応じて変化させることにより、精度の高いホワイトバランス調整が行われ、さらに撮影画像におけるストロボ光の影響度合が僅かであっても色の変化が大きい撮影環境下で、ストロボ光の影響度合が僅かであった場合についても正確なホワイトバランス調整を行うことができる。
【手続補正２５】
【補正対象書類名】明細書
【補正対象項目名】００３３
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００４０
【補正方法】削除
【補正の内容】